【事件の表示】
　特許第２６９３８７２号「電気掃除機の吸込口体」の請求項１ないし２に係る特許に対する特許異議の申立てについて、次のとおり決定する。
【結論】
　訂正を認める。
　特許第２６９３８７２号の請求項１に係る特許を維持する。
【理由】
１．手続の経緯
　本件特許異議の申立てに係る特許第２６９３８７２号は、平成３年３月１５日に特許出願され、平成９年９月５日に設定登録され、同年１２月２４日に特許公報が発行されたものである。
　これに対して、平成１０年６月２３日に三洋電機株式会社より本件の請求項１及び２に係る特許に対して特許異議の申立てがなされ、その後、平成１０年１１月５日に請求項１及び２に係る特許に対して取消理由通知がなされ、その指定期間内である平成１１年１月１４日に訂正請求がなされたものである。
２．訂正の適否についての判断
（１）訂正の要旨
　本件訂正の要旨は次のとおりである。即ち、特許請求の範囲の減縮を目的として、
▲１▼請求項１の「前記駆動プーリーとそれら従動プーリーの何れか１つとに伝動ベルトを巻回し、この伝動ベルトの外周面に他の従動プーリーを当接させて、前記回転清掃体と駆動輪とを互いに逆方向へ回転させるようにした」を
「前記駆動プーリーと回転清掃体の従動プーリーに伝動ベルトを巻回し、前記駆動プーリーと前記回転清掃体の従動プーリーとにそれぞれ歯を形成するとともに、これらの歯と噛合する歯を前記伝動ベルトの内周面に形成し、前記駆動輸と回転清掃体とを互いに逆方向へ回転させるために前記伝動ベルトの外周面に駆動輪の従動プーリーを当接させ、前記駆動輪がロックされた際に、前記伝動ベルトが駆動輸の従動プーリーをスリップしていくように伝動ベルトの外周面を平坦状に形成した」と訂正する。
▲２▼請求項２を削除する。
（なお、訂正請求書の「訂正の要旨」の項には、請求項２を削除することは明記されていないが、訂正請求書に添付された訂正明細書によれば、請求項２は実質的に削除されている。）
明りょうでない記載の釈明を目的として、
▲３▼特許明細書の段落【０００６】の「この発明は、上記目的を達成するため、吸込口本体の下面に塵埃を吸引する開口を設けた吸込室に被清掃面上の塵埃を掻きあげる回転清掃体を回転自在に配置し、前記吸込ロ本体の下面に該吸込口本体の移動を補助する駆動輪を設け、前記回転清掃体および駆動輸を回転駆動させる駆動モータを設けた電気掃除機の吸込口体であって、前記駆動モータの出力軸に駆動プーリーを設け、前記回転清掃体と駆動輪の回転軸に従動プーリをそれぞれ設け、前記駆動プーリーとそれら従動プーリーの何れか１つとに伝動ベルトを巻回し、この伝動ベルトの外周面に他の従動プーリーを当接させて、前記回転清掃体と駆動輪とを互いに逆方向へ回転させるようにしたことを特徴とする。」を
「この発明は、上記目的を達成するため、吸込口本体の下面に塵埃を吸引する開口を設けた吸込室に被清掃面上の塵埃を掻きあげる回転清掃体を回転自在に配置し、前記吸込口本体の下面に該吸込口本体の移動を補助する駆動輸を設け、前記回転清掃体および駆動輪を回転駆動させる駆動モータを設けた電気掃除機の吸込口体であって、前記駆動モータの出力軸に駆動プーリーを設け、前記回転清掃体と駆動輪の回転軸に従動プーリーをそれぞれ設け、前記駆動プーリーと回転清掃体の従動プーリーに伝動ベルトを巻回し、前記駆動プーリーと前記回転清掃体の従動プーリとにそれぞれ歯を形成するとともに、これらの歯と噛合する歯を前記伝動ベルトの内周面に形成し、前記駆動輪と回転清掃体とを互いに逆方向に回転させるために前記伝動ベルトの外周面に駆動輪の従動プーリを当接させ、前記駆動輪がロックされた際に、前記伝動ベルトが駆動輪の従動プーリをスリップしていくように伝動ベルトの外周面を平坦状に形成したことを特徴とする。」と訂正する。
▲４▼特許明細書の段落【０００７】の「この発明は、回転清掃体あるいは駆動輸の回転軸に設けた従動プーリーと前記出力軸に設けた駆動プーリーとに伝動ベルトを巻回し、この伝動ベルトの外周面に他の従動プーリーを当接させたものであるから、駆動輸と回転清掃体は互いに逆方向へ回転する。」を
「この発明は、回転清掃体あるいは駆動輪の回転軸に設けた従動プーリーと前記出力軸に設けた駆動プーリーとに伝動ベルトを巻回し、この伝動ベルトの外周面に他の従動プーリーを当接させたものであるから、駆動輪と回転清掃体は互いに逆方向へ回転する。また、駆動プーリーと回転清掃体の従動プーリとにそれぞれ歯を形成するとともに、これらの歯と噛合する歯を伝動ベルトの内周面に形成したものであるから、被清掃面に強く押し当てられてもロックする虞のない回転清掃体への駆動力の伝達は確実に行える。しかも、伝動ベルトの外周面を平坦状に形成したものであるから、被清掃面に強く押し当てられることによって駆動輪がロックされても、伝動ベルトの外周面が従動プーリをスリップしていくので駆動輪のロックにより駆動モータに過負荷がかかってしまうことを防止することができる。」と訂正する。
▲５▼特許明細書の段落【００２４】の「以上説明したように、この発明によれば、１つの駆動モータと伝動ベルトによって回転清掃体と駆動輪とを互いに逆方向へ回転させるようにしたものであるからその重量は軽く、しかもその構造は簡単なものとなり、小型軽量化を図ることができる。」を
「以上説明したように、この発明によれば、１つの駆動モータと伝動ベルトによって回転清掃体と駆動輪とを互いに逆方向へ回転させるようにしたものであるからその重量は軽く、しかもその構造は簡単なものとなり、小型軽量化を図ることができる。また、被清掃面に強く押し当てられてもロックする虞のない回転清掃体への駆動力の伝達は確実に行え、しかも、被清掃面に強く押し当てられることによって駆動輪がロックされても、伝動ベルトの外周面が従動プーリをスリップしていくので駆動輪のロックにより駆動モータに過負荷がかかってしまうことを防止することができる。」と訂正する。
（２）訂正の目的の適否及び拡張、変更の存否
　上記訂正▲１▼は、伝動ベルトと駆動プーリー、回転清掃体の従動プーリーの構成を限定し、且つ、伝動ベルトを駆動プーリー、回転清掃体及び駆動輪の従動プーリーにどのように巻回するかを限定するものであるから、特許法第１２０条の４第２項ただし書き第１号に規定する特許請求の範囲の減縮を目的とするものに当たる。又、これらの事項は特許明細書の請求項２、段落【００１５】及び第４図に記載されていたものであるから、願書に添付した明細書又は図面に記載した事項の範囲内のものであり、又、実質的に特許請求の範囲を拡張又は変更するものでもない。
　上記訂正▲２▼は、特許時の請求項２を削除するものであるから、同ただし書き第１号に規定する特許請求の範囲の減縮を目的とするものに当たる。又、実質的に特許請求の範囲を拡張又は変更するものでもない。
　上記訂正▲３▼は、上記▲１▼の訂正に伴い、発明の詳細な説明の記載を特許請求の範囲の請求項１の記載と対応させるものであるから、同ただし書き第３号に規定する明りょうでない記載の釈明を目的にしたものである。又、この事項は、特許明細書の段落【００１４】、【００１５】及び第４図に記載されていたものであるから、願書に添付した明細書又は図面に記載した事項の範囲内のものであり、実質的に特許請求の範囲を拡張又は変更するものでもない。
　上記訂正▲４▼は、上記▲１▼の訂正に伴い、▲１▼の構成を採ったことによる作用を具体的に記載したものであるから、明りょうでない記載の釈明を目的とするものである。又、この事項は、特許明細書の段落【００１５】に記載されていたものであるから、願書に添付した明細書又は図面に記載した事項の範囲内のものであり、実質的に特許請求の範囲を拡張又は変更するものでもない。
　上記訂正▲５▼は、上記▲１▼の訂正に伴い、▲１▼の構成を採ったことによる効果を具体的に記載したものであるから、明りょうでない記載の釈明を目的とするものである。又、この事項は、特許明細書の段落【００１５】に記載されていたものであるから、願書に添付した明細書又は図面に記載した事項の範囲内のものであり、実質的に特許請求の範囲を拡張又は変更するものでもない。
（３）独立特許要件の判断
　訂正明細書の請求項１に係る発明は、その特許請求の範囲の請求項１に記載された次のとおりのものである。
「吸込口本体の下面に塵埃を吸引する開口を設けた吸込室に被清掃面上の塵埃を掻きあげる回転清掃体を回転自在に配置し、前記吸込口本体の下面に該吸込口本体の移動を補助する駆動輸を設け、前記回転清掃体および駆動輪を回転駆動させる駆動モータを設けた電気掃除機の吸込口体であって、
　前記駆動モータの出力軸に駆動プーリーを設け、前記回転清掃体と駆動輪の回転軸に従動プーリーをそれぞれ設け、前記駆動プーリーと回転清掃体の従動プーリーに伝動ベルトを巻回し、前記駆動プーリーと前記回転清掃体の従動プーリとにそれぞれ歯を形成するとともに、これらの歯と噛合する歯を前記伝動ベルトの内周面に形成し、前記駆動輪と回転清掃体とを互いに逆方向に回転させるために前記伝動ベルトの外周面に駆動輪の従動プーリを当接させ、前記駆動輪がロックされた際に、前記伝動ベルトが駆動輪の従動プーリをスリップしていくように伝動ベルトの外周面を平坦状に形成したことを特徴とする電気掃除機の吸込み口体。」
　なお、上記請求項１の記載において、第１１、１６、１７行の「従動プーリ」は「従動プーリー」の誤りであることは明らかであるから、以下の記載においては「従動プーリー」に統一して記載する。
　当審において通知した取消理由で引用した「電波新聞」（１９９１年２月７日号：以下「刊行物１」という。）の“自走ブラシを採用”の欄には、東芝クリーナーに関する記事として『「ＶＣ−Ｎ２５０ＡＰ」「ＶＣ−Ｎ２００ＡＰ」、は回転ブラシとともに駆動するローラーを備えることによって、ブラシ自体が動くので、じゅうたんの場合の走行荷重が約１．１ｋｇ、畳の場合が０．２ｋｇと同社従来機種に比べ約半分の力で容易に操作できる。…（略）…回転ブラシは、駆動ローラーとベルトでつながっており、常にブラシヘッドの動く方向にごみをかき出すようになっている。』と記載されている。同じく引用した「日経産業新聞」（１９９１年２月７日号：以下「刊行物２」という。）の“自走ブラシ付きなど強力な掃除機３機種”の欄には、東芝の高級掃除機について「最上級の「ＶＣ−Ｎ２５０ＡＰ」＝写真＝は業界で初めてブラシ部分に前後に動く「自走式ローラー」を搭載した。」及び「掃除の効率をさらに高めるため、自走式ローラーが動く方向と常に逆向きに回転ブラシが回る仕組みを採用した。」と記載されている。又、同じく引用した「自動化ブックス４／実例メカニカル・コントロール　３：動力変換機器」（株式会社大河出版　昭和５２年３月１日発行：以下「刊行物３」という。）には、第１０３頁「２タイミングベルトとＶベルトの組合わせ」の項に「デトロイトのＡ．Ｅ．カールが特許を受けたタイミングベルトとＶベルトの組合わせであって、両方の利点を持ち、同じベルトで摩擦駆動とタイミング駆動を行なう。」及び「ベルトの中立軸に沿ってコードがついており、片面がタイミングベルト、他面がＶベルトになっている。」ことが図面とともに記載されている。
　上記刊行物１、２の記載からみて、東芝クリーナー「ＶＣ−Ｎ２５０ＡＰ」の「駆動ローラー」、「回転ブラシ」、「ベルト」、「ブラシ」は、訂正明細書に記載された発明の「駆動輪」、「回転清掃体」、「伝動ベルト」、「吸込口体」に相当するものであり、回転ブラシと駆動ローラーとは、ベルトを介して、１つの駆動モータにより逆方向に回転するように構成されているものであると認められる。即ち、刊行物１には、駆動モータが、伝動ベルトでつながれた駆動輪と回転清掃体とを常に逆向きに回転させるタイプの吸込口体を有するクリーナーが記載されていると認められる。
　一方、刊行物３の「同じベルトで摩擦駆動とタイミング駆動を行なう」、「片面がタイミングベルト、他面がＶベルトになっている」との記載及び図面の記載からみて、このベルトは、片面（内周面）が歯を形成したタイミングベルト、他面（外周面）が平坦なＶベルトになっており、該ベルトの内周面に噛合される３つの歯車の内、１つは駆動歯車、他の２つの歯車はタイミング駆動される従動歯車であり、又、ベルトの平坦な外周面に当接しているプーリーは摩擦駆動される従動プーリーであって、従動歯車と従動プーリーとは逆方向に回転するものであることは明らかである。即ち、刊行物３には、内周面に歯を形成したベルトが噛合される３つの歯車の内、１つは駆動歯車であり、他の２つの歯車はタイミング駆動される従動歯車であり、又、ベルトの外周面に当接しているプーリーは摩擦駆動される従動プーリーであって、従動歯車と従動プーリーとは逆方向に回転するものであることが記載されている。
　しかしながら、上記刊行物１乃至３には、訂正明細書に記載された発明の「伝動ベルトの外周面に駆動輪の従動プーリを当接させ、駆動輪がロックされた際に、伝動ベルトが駆動輪の従動プーリをスリップしていくように伝動ベルトの外周面を平坦状に形成した」点については記載されておらず、又、それを示唆する記載もない。
　即ち、刊行物１、２には、駆動輪と回転清掃体とが逆方向に回転することが記載されているのみであって、伝動ベルト、駆動輪、回転清掃体の構成及び伝動ベルトに対して駆動輪と回転清掃体がどのような関係で巻回されているかについて全く記載されておらず、加えて、駆動輪がロック状態になった場合にモータに過負荷がかからないようにすることについても記載も示唆もない。又、刊行物３には、歯車にベルト内周面の歯が噛合し、プーリーにベルト外周面の平坦面が当接し、歯車とプーリーとが逆方向に回転することが記載されているだけであるから、この技術手段を刊行物１に記載された発明に応用したとしても、駆動輪と回転清掃体とを逆方向に回転させるについて、駆動輪と回転清掃体の内の一方がベルトの内周面に噛合し、他方が外周面に当接することが想到し得るだけであり、駆動輪がロック状態になることを考慮して、駆動輸を伝動ベルトの平坦面に当接させてスリップしていくようにすることによりロック状態に対処させることまでは、刊行物１乃至３の記載からは想到し得ることとは認められない。
　したがって、訂正明細書に記載された発明は、上記刊行物１乃至３に記載された発明に基づいて、当業者が容易に発明をすることができたものであるとは認められない。
　よって、訂正明細書の請求項１に係る発明は、出願の際独立して特許を受けることができるものである。
（４）むすび
　以上のとおりであるから、上記各訂正は、平成６年法律第１１６号附則第９条第２項により準用する特許法第１２０条の４第２項ただし書きに規定する目的に適合し、同じく準用する特許法第１２０条の４第３項によりさらに準用する同法第１２６条第２項乃至第４項の規定に違反するものではないから、当該訂正請求を認める。
３．特許異議の申立てについての判断
（１）本件特許発明
　上記のとおり、本件特許について訂正請求が認められたので、本件特許発明は、訂正明細書及び図面の記載からみて、訂正明細書の特許請求の範囲の請求項１に記載されたとおりのものと認める（以下「本件発明」という。上記２．（３）参照）。
（２）申立ての理由の概要
　特許異議申立人　三洋電機株式会社は、甲第１号証乃至甲第６号証を提出し、本件請求項１及び２に係る発明は甲第１号証乃至甲第６号証に記載された発明に基づいて当業者が容易に発明をすることができたものであるから、特許法第２９条第２項の規定に該当し、取り消されるべきものである、と主張する。
［証拠方法］
甲第１号証：「電波新聞」（１９９１年２月７日号）
甲第２号証：「日経産業新聞」（１９９１年２月７日号）
甲第３号証：「自動化ブックス４／実例メカニカル・コントロール　３：動力変換機器」（株式会社大河出版　昭和５２年３月１日発行）第１０３頁
甲第４号証：実開昭６１−８１０４５号公報
甲第５号証：特開昭６１−２１５８４１号公報
甲第６号証：実開昭６１−１４５８３５号公報
（３）当審の判断
　甲第４乃至６号証に記載されたタイミングベルト６の外周面に当接するプーリーは、何れもタイミングベルトに張力を与えるテンションプーリーであって、テンションプーリーは回転力を出力させるものではないから、甲第４乃至６号証は、本件発明の証拠とはなり得ない。又、甲第１乃至３号証については、上記２．（３）に認定したとおりである。
　したがって、本件発明は、甲第１乃至６号証に基づいて当業者が容易に発明をすることがきたものとはいえない。
（４）むすび
　上記のとおり、本件発明は、特許法第２９条第２項に規定する発明に該当しない。
４．まとめ
　以上のとおりであるから、特許異議申立人の主張する理由及び証拠方法によっては、本件発明に係る特許が、特許法第２９条第２項の規定に違反して特許されたものであるとすることはできない。
又、他に、本件特許を取り消すべき理由は見いだせない。
　よって、結論のとおり決定する。
【異議決定日】
平成１１年８月４日（１９９９．８．４）
【訂正の要旨】
本件特許異議申立に係る特許についての訂正の要旨は、次のとおりである。
特許請求の範囲の減縮を目的として、
▲１▼請求項１の「前記駆動プーリーとそれら従動プーリーの何れか１つとに伝動ベルトを巻回し、この伝動ベルトの外周面に他の従動プーリーを当接させて、前記回転清掃体と駆動輪とを互いに逆方向へ回転させるようにした」を
「前記駆動プーリーと回転清掃体の従動プーリーに伝動ベルトを巻回し、前記駆動プーリーと前記回転清掃体の従動プーリーとにそれぞれ歯を形成するとともに、これらの歯と噛合する歯を前記伝動ベルトの内周面に形成し、前記駆動輸と回転清掃体とを互いに逆方向へ回転させるために前記伝動ベルトの外周面に駆動輪の従動プーリーを当接させ、前記駆動輪がロックされた際に、前記伝動ベルトが駆動輪の従動プーリーをスリップしていくように伝動ベルトの外周面を平坦状に形成した」と訂正する。
▲２▼請求項２を削除する。
明りょうでない記載の釈明を目的として、
▲３▼特許明細書の段落【０００６】の「この発明は、上記目的を達成するため、吸込口本体の下面に塵埃を吸引する開口を設けた吸込室に被清掃面上の塵埃を掻きあげる回転清掃体を回転自在に配置し、前記吸込口本体の下面に該吸込口本体の移動を補助する駆動輪を設け、前記回転清掃体および駆動輪を回転駆動させる駆動モータを設けた電気掃除機の吸込口体であって、前記駆動モータの出力軸に駆動プーリーを設け、前記回転清掃体と駆動輪の回転軸に従動プーリをそれぞれ設け、前記駆動プーリーとそれら従動プーリーの何れか１つとに伝動ベルトを巻回し、この伝動ベルトの外周面に他の従動プーリーを当接させて、前記回転清掃体と駆動輪とを互いに逆方向へ回転させるようにしたことを特徴とする。」を
「この発明は、上記目的を達成するため、吸込口本体の下面に塵埃を吸引する開口を設けた吸込室に被清掃面上の塵埃を掻きあげる回転清掃体を回転自在に配置し、前記吸込口本体の下面に該吸込口本体の移動を補助する駆動輸を設け、前記回転清掃体および駆動輪を回転駆動させる駆動モータを設けた電気掃除機の吸込口体であって、前記駆動モータの出力軸に駆動プーリーを設け、前記回転清掃体と駆動輪の回転軸に従動プーリーをそれぞれ設け、前記駆動プーリーと回転清掃体の従動プーリーに伝動ベルトを巻面し、前記駆動プーリーと前記回転清掃体の従動プーリとにそれぞれ歯を形成するとともに、これらの歯と噛合する歯を前記伝動ベルトの内周面に形成し、前記駆動輪と回転清掃体とを互いに逆方向に回転させるために前記伝動ベルトの外周面に駆動輪の従動プーリを当接させ、前記駆動輪がロックされた際に、前記伝動ベルトが駆動輪の従動プーリをスリップしていくように伝動ベルトの外周面を平垣状に形成したことを特徴とする。」と訂正する。
▲４▼特許明細書の段落【０００７】の「この発明は、回転清掃体あるいは駆動輸の回転軸に設けた従動プーリーと前記出力軸に設けた駆動プーリーとに伝動ベルトを巻回し、この伝動ベルトの外周面に他の従動プーリーを当接させたものであるから、駆動輪と回転清掃体は互いに逆方向へ回転する。」を
「この発明は、回転清掃体あるいは駆動輪の回転軸に設けた従動プーリーと前記出力軸に設けた駆動プーリーとに伝動ベルトを巻回し、この伝動ベルトの外周面に他の従動プーリーを当接させたものであるから、駆動輪と回転清掃体は互いに逆方向へ回転する。また、駆動プーリーと回転清掃体の従動プーリとにそれぞれ歯を形成するとともに、これらの歯と噛合する歯を伝動べルトの内周面に形成したものであるから、被清掃面に強く押し当てられてもロックする虞のない回転清掃体への駆動力の伝達は確実に行える。しかも、伝動ベルトの外周面を平坦状に形成したものであるから、被清掃面に強く押し当てられることによって駆動輪がロックされても、伝動ベルトの外周面が従動プーリをスリップしていくので駆動輪のロックにより駆動モータに過負荷がかかってしまうことを防止することができる。」と訂正する。
▲５▼特許明細書の段落【００２４】の「以上説明したように、この発明によれば、１つの駆動モータと伝動ベルトによって回転清掃体と駆動輪とを互いに逆方向へ回転させるようにしたものであるからその重量は軽く、しかもその構造は簡単なものとなり、小型軽量化を図ることができる。」を
「以上説明したように、この発明によれば、１つの駆動モータと伝動ベルトによって回転清掃体と駆動輪とを互いに逆方向へ回転させるようにしたものであるからその重量は軽く、しかもその構造は簡単なものとなり、小型軽量化を図ることができる。また、被清掃面に強く押し当てられてもロックする虞のない回転清掃体への駆動力の伝達は確実に行え、しかも、被清掃面に強く押し当てられることによって駆動輪がロックされても、伝動ベルトの外周面が従動プーリをスリップしていくので駆動輪のロックにより駆動モータに過負荷がかかってしまうことを防止することができる。」と訂正する。
（５４）【発明の名称】
　電気掃除機の吸込口体
（５７）【特許請求の範囲】
　【請求項１】　吸込口本体の下面に塵埃を吸引する開口を設けた吸込室に被清掃面上の塵埃を掻きあげる回転清掃体を回転自在に配置し、前記吸込口本体の下に該吸込口本体の移動を補助する駆動輪を設け、前記回転清掃体および駆動輪を回転駆動させる駆動モータを設けた電気掃除機の吸込口体であって、
　前記駆動モータの出力軸に駆動プーリーを設け、前記回転清掃体と駆動輪の回転軸に従動プーリーをそれぞれ設け、
　前記駆動プーリーと
回転清掃体の従動プーリーに伝動ベルトを巻回し、
　前記駆動プーリーと前記回転清掃体の従動プーリとにそれぞれ歯を形成するとともに、これらの歯と噛合する歯を前記伝動ベルトの内周面に形成し、
　前記駆動輪と回転清掃体とを互いに逆方向に回転させるために前記伝動ベルトの外周面に駆動輪の従動プーリを当接させ、
　前記駆動輪がロックされた際に、前記伝動ベルトが駆動輪の従動プーリをスリップしていくように伝動ベルトの外周面を平坦状に形成した
【発明の詳細な説明】
　　【産業上の利用分野】
　この発明は、吸込口本体に回転清掃体と駆動輪とを設けた電気掃除機の吸込口体に関する。
　　【従来の技術】
　従来、かかる電気掃除機の吸込口体として特開平２−７９２３号公報に記載されているものが知られている。
　この吸込口体は、駆動輪を吸込口体の移動を補助する方向へ回転駆動させる第１駆動モータと、回転清掃体であるアジテータを前記駆動輪の回転と逆方向へ回転駆動させる第２駆動モータとを設けている。そして、吸込口体の移動方向を検知する切換スイッチによって、第１，第２駆動モータの回転方向を切り換えている。この切換スイッチの切換により、吸込口体の前進や後退を頻繁に行なっても駆動輪を吸込口体の移動を常に補助するように回転させるとともに、アジテータを駆動輪と逆方向、すなわち吸込口体の移動方向と逆方向となる方向へ回転させるものである。アジテータを吸込口体の移動方向と逆方向となる方向へ回転させるのは、ゴミの掻き上げ効果を高めるためである。
　　【発明が解決しようとする課題】
　しかしながら、従来の吸込口体では、２つの駆動モータを設けているので吸込口体の重量が重く、しかも大型化してしまうという問題があった。
　この発明は、上記問題点に鑑みてなされたもので、その目的とするところは、１つの駆動モータでしかも簡単な構造で駆動輪とこの駆動輪と逆方向へ回転清掃体を回転させるようにして小型軽量化を図ることのできる電気掃除機の吸込口体を提供することにある。
　　【課題を解決するための手段】
　この発明は、上記目的を達成するため、吸込口本体の下面に塵埃を吸引する開口を設けた吸込室に被清掃面上の塵埃を掻きあげる回転清掃体を回転自在に配置し、前記吸込口本体の下面に該吸込口本体の移動を補助する駆動輪を設け、前記回転清掃体および駆動輪を回転駆動させる駆動モータを設けた電気掃除機の吸込口体であって、
　前記駆動モータの出力軸に駆動プーリーを設け、前記回転清掃体と駆動輪の回転軸に従動プーリーをそれぞれ設け、
　前記駆動プーリーと
回転清掃体の従動プーリーに伝動ベルトを巻回し、
　
前記駆動プーリーと前記回転清掃体の従動プーリとにそれぞれ歯を形成するとともに、これらの歯と噛合する歯を前記伝動ベルトの内周面に形成し、
　
前記駆動輪と回転清掃体とを互いに逆方向に回転させるために前記伝動ベルトの外周面に駆動輪の従動プーリを当接させ、
　
前記駆動輪がロックされた際に、前記伝動ベルトが駆動輪の従動プーリをスリップしていくように伝動ベルトの外周面を平坦状に形成した
　　【作用】
　この発明は、回転清掃体あるいは駆動輪の回転軸に設けた従動プーリーと前記出力軸に設けた駆動プーリーとに伝動ベルトを巻回し、この伝動ベルトの外周面に他の従動プーリーを当接させたものであるから、駆動輪と回転清掃体は互いに逆方向へ回転する。
また、駆動プーリーと回転清掃体の従動プーリとにそれぞれ歯を形成するとともに、これらの歯と噛合する歯を伝動ベルトの内周面に形成したものであるから、被清掃面に強く押し当てられてもロックする虞のない回転清掃体への駆動力の伝達は確実に行える。しかも、伝動ベルトの外周面を平坦状に形成したものであるから、被清掃面に強く押し当てられることによって駆動輪がロックされても、伝動ベルトの外周面が従動プーリをスリップしていくので駆動輪のロックにより駆動モータに過負荷がかかってしまうことを防止することができる。
　　【実施例】
　以下、この発明に係る電気掃除機の吸込口体の実施例を図面に基づいて説明する。
　図１ないし図３において、１１は吸込口体１０の吸込口本体を構成する本体ケースで、これは下部本体ケース１２とこの下部本体ケース１２上に結合される上部本体ケース１３等から構成される。７０は下部本体ケース１２と上部本体ケース１３との間に設置される中ケースである。
　本体ケース１１内には、横長の吸込室１６が前側に区画形成されているとともに、電動機室１７と風路室１８とが後部一側に区画形成されている。吸込室１６の下面には塵埃を吸引するための吸込口２０が開口されている。風路室１８は中ケース７０により形成されている。
　本体ケース１１の後部中央には、連通管２１が回動軸２２により所定角度上下回動自在に支持され、連通管２１と中ケース７０の風路室１８とが連通されている。そして、連通管２１と吸込室１６とが風路室１８を介して連通している。連通管２１の後端部には接続管２５が回動自在に嵌合され、この接続管２５は図示しない延長管等を介して掃除機本体（図示せず）の集塵室に連通されるようなっている。
　吸込口本体１１の吸込室１６内には、回転ブラシである回転清掃体３１が軸受３２により回転自在に支持されている。また、吸込口本体１１には、吸込室１６の後部であって風路室１８を挟む位置に２つの駆動輪室５０が形成されている。この駆動輪室５０は吸込室側が開口した開口部４９が形成され、この開口部４９を介して駆動輪室５０と吸込室１６とが連通している。
　また、各駆動輪室５０には駆動輪５１がそれぞれ配置され、駆動輪５１の回転軸３４は駆動輪室５０の側壁５２〜５５を貫挿して設けれている。回転軸３４は側壁５２〜５５に設けた図示しない軸受部によって回転自在に保持され、駆動輪５１は回転軸３４の回転によって一体的に回転するものである。駆動輪５１は、図３に示すように、駆動輪室５０の下面に開口した開口部３５から下方に突出している。この駆動輪５１の最下点５１ａは、図１に示すように、前後ローラ５７，５８の最下点を結ぶ線５９より上方であって下部本体ケース１２の下面１２ａより下方となるように設定されていて、被清掃面が床の場合、駆動輪５１は床に接触しないようになっている。
　電動機室１７内には、回転清掃体３１を回転駆動するモータ３６が設けられている。このモータ３６の出力軸３７に固定された駆動プーリー３８の下側からテンションローラ３９の下側，回転軸３４に設けた従動プーリー４１の上側，回転清掃体３１の回転軸３１ａに固定された従動プーリー４２の下側を経て該プーリー４２の上側から駆動プーリー３８の上側へと動力伝達用の伝動ベルト４３が掛け渡され、出力軸３７の回転によって被清掃体３１および駆動輪５１が回転する。そして、駆動輪５１の回転方向と回転清掃体３１の回転方向が逆方向となるようになっている。
　伝動ベルト４３の内周面４３ａには、図４に示すように、歯４５が形成され、この歯４５が出力軸３７のプーリー３８の周面に形成された歯（図示せず）と、回転清掃体３１の従動プーリー４２の周面に形成した歯４２ａとに噛合し、出力軸３７の回転駆動が回転清掃体３１へ確実に伝達するようになっている。また、ベルト４３の外周面４３ｂは平坦状に形成され、駆動輪５１がロックされた場合、伝動ベルト４３はプーリー４１の周面をスリップしてモータ３６に過負荷がかからないようになっている。従動プーリ４１の周面４１ａには、伝動ベルト４３の外周面４３ｂとの接触によって所定の摩擦力が得られるよう凹凸（図示せず）が形成され、その摩擦力によて従動プーリ４１は回転するものである。
　また、本体ケース１１には、図５に示すように、下方に延びて被清掃面に当接する切換レバー５７を有するマイクロスイッチ５６が設けられている。この切換レバー５７は、吸込口体１０が前進（矢印Ｐ方向）した場合、切換レバー５７は被清掃面によって実線位置へ移動され、吸込口体１０が後退した場合、切換レバー５７は破線位置へ移動されるものである。そして、切換レバー５７が実線位置へ移動すると、モータ３６の出力軸３７は矢印Ｑ方向へ回転し、破線位置へ移動すると矢印Ｒ方向へ回転するようになっている。すなわち、回転掃体３１を吸込口体１０の移動方向を妨げる方向へ回転させてゴミの掻き上げ効果の向上を図るとともに、駆動輪５１を吸込口体１０の移動方向と同方向となるように回転させて、吸込口体１０の移動を補助するものである。
　次に、上記実施例の吸込口体の作用について説明する。
　先ず、図示しないメインスイッチを投入する。そして、電気掃除機本体（図示せず）の集塵室を負圧にして図示しないホースおよび延長管等を介して吸込口体１０の吸込口２０から塵埃を吸引させていく。そして、モータ３６を駆動させるとともに吸込口体１０を前進させると、切換レバー５７が実線位置へ移動し、これによりモータ３６の出力軸３７は矢印Ｑ方向へ回転していく。この出力軸３７の回転が伝動ベルト４３を介してプーリー４１，４２へ伝達され、回転清掃体３１および駆動輪５１が回転していく。
　回転清掃体３１は吸込口体１０の前進を妨げる矢印Ｓ方向へ回転して絨毯等に付着したゴミ等を効率よく掻き上げていく。
　他方、駆動輪５１は吸込口体１０の移動と同方向となる矢印Ｔ方向へ回転していく。
この際、絨毯等は、駆動輪室５０と吸込口２０とが連通しているので駆動輪室５０の開口部３５にも吸引され、駆動輪５１が絨毯に確実に当接することとなり、駆動輪５１の回転により吸込口体１０の前進移動が補助されることとなる。
　次に、吸込口体１０を後退させると、切換レバー５７が破線位置へ移動し、これによりモータ３６の出力軸３７は矢印Ｒ方向へ回転していき、こんどは逆に、駆動輪５１は矢印Ｆ方向へ回転し、吸込口体１０の後退移動を補助する。回転清掃体３１は吸込口体１０の後退移動と逆方向となる矢印Ｇ方向へ回転していき、絨毯等に付着したゴミ等を効率よく掻き上げていく。
　このように、１つの駆動モータ３６と伝動ベルト４３によって回転清掃体３１と駆動輪５１とを互いに逆方向へ回転させるようにしたものであるから、その重量は軽いものとなり、しかもその構造は簡単なものである。したがって、小型軽量化を図ることができる。
　ところで、床を清掃する場合、駆動モータ３６を非作動状態にして行なうが、この場合、駆動輪５１は床に当接しないので、クラッチ等を設けて駆動輪５１をフリーの状態にしなくても吸込口体１０を前後方向へ自由に移動させることができる（駆動モータ３６を非作動状態にするのは、回転清掃体３１を回転させる必要がなく、しかも回転清掃体３１の回転によって床を傷つけないようにするためである）。
　　【発明の効果】
　以上説明したように、この発明によれば、１つの駆動モータと伝動ベルトによって回転清掃体と駆動輪とを互いに逆方向へ回転させるようにしたものであるからその重量は軽く、しかもその構造は簡単なものとなり、小型軽量化を図ることができる。
また、被清掃面に強く押し当てられてもロックする虞のない回転清掃体への駆動力の伝達は確実に行え、しかも、被清掃面に強く押し当てられることによって駆動輪がロックされても、伝動ベルトの外周面が従動プーリをスリップしていくので駆動輪のロックにより駆動モータに過負荷がかかってしまうことを防止することができる。
【図面の簡単な説明】
　　【図１】
　この発明に係わる吸込口体の駆動機構を示した断面図、
　　【図２】
　吸込口体の内部の構成を概略に示した平面図、
　　【図３】
　吸込口体の吸込口と駆動輪室との連通状態を示した断面図、
　　【図４】
　伝動ベルトに設けた歯とプーリに設けた歯を示した側面図、
　　【図５】
　マイクロスイッチの切り換えを説明するための断面図である。
　　【符号の説明】
１１　吸込口本体
１６　吸込室
３１　回転清掃体
３４　回転軸
３６　駆動モータ
３７　出力軸
３８　駆動プーリー
４１，４２　従動プーリー
４３　伝動ベルト
５１　駆動輪